(57)【特許請求の範囲】
【請求項１】
水が循環する熱源側熱交換器（３）を加熱するとともに燃料を燃焼させるバーナ（１７）を含む燃焼装置（５）と、この燃焼装置（５）及び熱源側熱交換器（３）に送風する送風機（６）と、前記熱源側熱交換器（３）、循環ポンプ（２１）、ヘッダー（２２）及び利用側熱交換器（２８）を順次環状に接続した温水回路（３４）と、前記燃焼装置（５）、送風機（６）及び循環ポンプ（２１）を制御する制御装置（１５）とを備えた温水暖房機（１）の操作装置（３２）であって、
前記操作装置（３２）は、前記利用側熱交換器（２８）が配置される室内に設置され、その室内の温度をダイヤル式に設定する温度設定手段（４１）と、温水暖房機（１）の運転を所望の開始時刻に開始させるとともに所望の停止時刻に停止させるタイマー運転設定手段（５０）とを備え、
前記タイマー運転設定手段（５０）は、前記開始時刻及び停止時刻を２４時間表示すべく全体として円形になるように放射状に配置した扇形の２４個の表示素子（５２Ｂ）を有するタイマー時刻表示部（５２）と、前記開始時刻を設定する開始時刻設定部（５５）と、前記停止時刻を設定する停止時刻設定部（５８）と、前記各表示素子（５２Ｂ）の表示状態を制御する表示制御部（６７）を有し、かつ、この表示制御部（６７）は、前記開始時刻、停止時刻及びこれら両時刻の間に位置する全ての表示素子（５２Ｂ）を点灯若しくは点滅させる構成としたことを特徴とする温水暖房機の操作装置。
【請求項２】
前記タイマー運転設定手段（５０）に現在時刻をデジタル表示する現在時刻表示部（５３）を設けたことを特徴とする請求項１に記載の温水暖房機の操作装置。
【発明の詳細な説明】
【０００１】
【発明の属する技術分野】
本発明は、利用側熱交換器を配置する室温と設定温度とに基づいて燃焼装置、送風機及び循環ポンプの動作モードを制御して室温を所望温度に維持する制御装置を備えた温水暖房機の操作装置に関するものである。
【０００２】
【従来の技術】
従来、電気式の温風暖房装置と床暖房装置とを組み合わせて使うことを前提とする暖房装置における制御装置の操作部として、例えば特開平４-６２３２３号公報等（これを前者公報という）に開示されるものがある。また、床暖房装置本体の動作をタイマー制御可能にする床暖房用のコントローラであって、タイマー予約だけでなく温度設定等の他の機能設定もできるようにしたものとして、例えば特開平４−６３２７号公報や特開平４−１５１４３６号公報等（これを後者公報という）に開示されるものがある。
【０００３】
【発明が解決しようとする課題】
しかしながら、前者公報の操作部には、時刻を表示するデジタル式の時刻表示部と、タイマー運転開始時刻を表示するランプ式の時刻表示部と、時刻を設定する時刻設定部と、タイマー時刻を設定するタイマー設定部と、室温を設定する室温設定部とが明示されているが、タイマー時刻の表示が開始時刻のみで停止時刻や任意幅の表示及び設定は行えず、タイマー時刻が一目ではわかりにくい一方、タイマー時刻の表示部が液晶タイプではないため、表示部としての小型化や表示素子の削減並びに小電力といったコスト低減には不向きであった。
【０００４】
また、後者公報のコントローラでは、現在時刻を表示する１２時間のデジタル式の時刻表示部と、タイマー運転開始時刻及び停止時刻を表示するランプ式の時刻表示部と、温度を表示する温度表示部と、時刻の設定する時刻設定部と、温度を設定する温度設定部とを備えており、時刻設定部には、現在時刻、タイマー開始時刻及び停止時刻の各時刻を設定する設定手段と、どの時刻を設定するのかという設定モードを切り替えるモード切換手段とを備えたものが明示されているが、前者同様、タイマー時刻が一目ではわかりにくく、タイマー時刻の表示部としての小型化や表示素子の削減及びパターンの簡素化といったコスト低減には不向きであった。
【０００５】
そこで本発明では、表示部におけるタイマー時刻の表示を見やすくしつつ操作装置の部品コストを低減する一方、各種時刻の設定や温度設定が行いやすい温水暖房機の操作装置を提供することを目的とする。
【０００６】
【課題を解決するための手段】
請求項１に記載の発明は、水が循環する熱源側熱交換器（３）を加熱するとともに燃料を燃焼させるバーナ（１７）を含む燃焼装置（５）と、この燃焼装置（５）及び熱源側熱交換器（３）に送風する送風機（６）と、前記熱源側熱交換器（３）、循環ポンプ（２１）、ヘッダー（２２）及び利用側熱交換器（２８）を順次環状に接続した温水回路（３４）と、前記燃焼装置（５）、送風機（６）及び循環ポンプ（２１）を制御する制御装置（１５）とを備えた温水暖房機（１）の操作装置（３２）であって、前記操作装置（３２）は、前記利用側熱交換器（２８）が配置される室内に設置され、その室内の温度をダイヤル式に設定する温度設定手段（４１）と、温水暖房機（１）の運転を所望の開始時刻に開始させるとともに所望の停止時刻に停止させるタイマー運転設定手段（５０）とを備え、前記タイマー運転設定手段（５０）は、前記開始時刻及び停止時刻を２４時間表示すべく全体として円形になるように放射状に配置した扇形の２４個の表示素子（５２Ｂ）を有するタイマー時刻表示部（５２）と、前記開始時刻を設定する開始時刻設定部（５５）と、前記停止時刻を設定する停止時刻設定部（５８）と、前記各表示素子（５２Ｂ）の表示状態を制御する表示制御部（６７）を有し、かつ、この表示制御部（６７）は、前記開始時刻、停止時刻及びこれら両時刻の間に位置する全ての表示素子（５２Ｂ）を点灯若しくは点滅させる構成としたことを特徴とする。
【０００７】
請求項２に記載の発明は、請求項１に記載の温水暖房機の操作装置において、前記タイマー運転設定手段（５０）に現在時刻をデジタル表示する現在時刻表示部（５３）を設けたことを特徴とする。
【０００８】
【０００９】
【００１０】
【００１１】
【００１２】
【発明の実施の形態】
以下、図面に基づき本発明の一実施例を詳述する。図１は本発明の温水暖房機の操作装置の正面図、図２は操作装置の概略を示すブロック回路図、図３は操作装置のタイマー時刻表示動作の一例を示すフローチャート、図４は本発明の温水暖房機の全体配置の概略を示す温水配管図、図５は本発明の液晶表示部のコンセントを差し込んだだけのときの表示状態を示す正面図、図６は本発明の液晶表示部の表示状態の一実施例を示す正面図、図７は本発明の液晶表示部の表示状態の他の実施例を示す正面図、図８は本発明の熱源機を屋内配置したときの設置状態を示す概略正面図、図９は図８の熱源機の一部切欠状態の正面断面図である。
【００１３】
図４において、１は後述する熱源機２と、この熱源機２に対して並列配管された複数の利用側熱交換器２４、２６、２８、３０を含む温水回路３４とからなる温水暖房機である。
【００１４】
図８及び図９には、縦型タイプの熱源機としての暖房ヒーティングユニットの正面図及び縦断正面図が示されており、２が熱源機としての暖房ヒーティングユニットである。
【００１５】
図９において、この暖房ヒーティングユニット２の本体内の一側部に消音用のマフラ４が連結された熱源側熱交換器３が固定されている。又、本体内の他側部には、前記熱源側熱交換器３を加熱するバーナ１７を含む燃焼装置５と、給気管７から引き込まれた燃焼空気をこの燃焼装置５に供給する送風機６及び燃焼装置５に液体燃料を供給する電磁ポンプ１１等が収容されている。
【００１６】
又、燃焼装置５は、中空円筒状のバーナチューブ１６内に液体燃料噴霧ノズル１８、点火プラグ１９、バーナ１７等を一体的に収容して構成されており、この燃焼装置５が、その先端部を前記熱源側熱交換器３の内側に形成された燃焼室８に臨ませて外壁（即ち燃焼胴９）に取付けられている。１５は燃焼装置５、送風機６及び後述する循環ポンプ２１やコントローラリモコン３１、３２、３３の各種動作を制御する制御装置である。
【００１７】
一方、この燃焼室８の上方には熱交換用の複数のフィンを有するフィン付パイプ１２が設けられ、前記燃焼装置５とこのフィン付パイプ１２によって暖房ヒーティングユニットの加熱装置が構成されている。この加熱装置を構成するフィン付パイプ１２の上流側（戻り配管）の端部は戻り口１０、ヘッダー２２及び後述する配管２３、２５、２７、２９を介して各室内に設置されている利用側熱交換器２４、２６、２８、３０の出口側に接続され、又、フィン付パイプ１２の下流側（出湯配管）の端部は温水出口１３、循環ポンプ２１及び後述する配管２３、２５、２７、２９を介して各室内に設置されている利用側熱交換器２４、２６、２８、３０の入口側に接続されている。
【００１８】
図８において、暖房ヒーティングユニット２を屋内設置するときの給排気管の一例を示しており、２０は家屋壁面を貫通するように設けた給排気ユニットであり、給気管７は接続管７Ａを介してこの給排気ユニット２０の給気接続部（図示せず）に接続され、排気口１４は接続管１４Ａを介してこの給排気ユニット２０の排気接続部２０Ｂに接続される。
【００１９】
図４において、２４は室内壁面に沿って配置され壁面からの輻射により暖房する利用側熱交換器としてのパネルラジエータ、２６は同じく室内壁面に沿って床置き配置され室内に温風を吹き出して暖房する利用側熱交換器として暖房するファンコンベクタである。２８は室内の床面に配置され床面を加熱して床面からの輻射により暖房する利用側熱交換器としての木質フロアパネル、３０は同じく室内の床下の根太間に配置され床面を加熱して床面からの輻射により暖房する利用側熱交換器としての根太間フロアパネルである。
【００２０】
又、木質パネル２８に対応させて床温（ひいては室温）と燃焼装置５や循環ポンプ２１の運転・停止等を調整する操作装置としての床暖房用のコントローラリモコン３２が設けられ、根太間フロアパネルに対応させて床温（ひいては室温）と燃焼装置５や循環ポンプ２１の運転・停止等を調整する操作装置としての床暖房用のコントローラリモコン３３が設けられる。３１は暖房ヒーティングユニット２の本体に設けた制御装置１５に接続する操作装置としての熱源機用のコントローラリモコンである。
【００２１】
次に、各操作装置としてのリモコン３１、３２、３３は全て同じものでも良いし、それぞれ異なるものでも良いが、本実施例では全て同じものとして、図１に基づき床暖房用のコントローラリモコン３２の概略を説明する。
【００２２】
４１は利用側熱交換器（木質フロアパネル）２８が配置される室内の温度をダイヤル式に設定する温度設定手段であり、ダイヤル４１Ａをその周囲に同心円上に設けた目盛１４Ｂに合わせて時計回り若しくは反時計回りに回転させて所望の温度レベル（本実施例では低・１・２・３・４・５・高の７つのレベル）に設定するものである。
【００２３】
ここで温度設定手段４１をダイヤル式としたので、スイッチ式の温度設定手段に比較して温度設定操作を簡素化できるとともに、温度設定状態をダイヤル４１Ａの位置とメモリ４１Ｂの位置関係で容易に目視できるようになった。
【００２４】
４２は温水暖房機１を連続モードで動作させる、詳しくは連続運転を開始させたり停止したりするモードを指示する連続運転スイッチ、４３は温水暖房機１をタイマーモードで動作させる即ちタイマー運転開始時刻に運転を開始させたタイマー運転停止時刻に運転を停止させたりするモードを指示するタイマー運転スイッチである。
【００２５】
４４は連続モードであることを表示する連続モード表示手段としての発光ダイオード、４５はタイマーモードであることを表示するタイマーモード表示手段としての発光ダイオード、４６は熱源機２の点検モードであることを表示する点検モード表示手段としての発光ダイオードであり、これらの発光ダイオード４４、４５、４６にて後述するＬＥＤ表示部４７を構成する。
【００２６】
５０は温水暖房機１の運転、詳しくは燃焼装置５、送風機６、循環ポンプ２１及びヘッダー２２に設けた温水制御弁の各動作を所望の開始時刻（タイマー運転開始時刻）に開始させるとともに、所望の停止時刻（タイマー運転停止時刻）に停止させるタイマー運転設定手段である。
【００２７】
このタイマー運転設定手段５０は、タイマー運転開始時刻及びタイマー運転停止時刻を２４時間表示するために全体として円形になるように放射状に配置した複数の表示素子５２Ｂを有するタイマー時刻表示部５２と、現在時刻をデジタル表示するために７セグメントの数字素子５３Ａ，５３Ｂ，５３Ｃを３つと６セグメントの数字素子５３Ｄ１つとの４つを横に並べ中央にコロン素子若しくはコロン印字パターンを配置した現在時刻表示部５３とからなる液晶表示部である。本実施例では表示素子５２Ｂを１時間単位で２４個配置した。又、現在時刻表示部５３は液晶表示部５１の一角、即ちタイマー時刻表示部５２の外側近傍（本実施例では上側）に設けた。
【００２８】
図５乃至図７に液晶表示部５１の印字パターン及び数字素子や表示素子の配列を示すとともに、各時刻の表示形態を示してある。まずタイマー時刻表示部５２には、時刻目盛として円周上に０と２２までの偶数数字と１２個の奇数を表すための・とを交互（順番）に配置した印字パターンと、この円周上に配置した印字パターンの内側に扇形の２４個の表示素子５２Ｂを隣り合わせて配置した表示パターンとがある。尚、本実施例では数字及び・の半径方向の垂線上に隣り合う表示素子５２Ｂのスタートラインとエンドラインとが位置するように並べてある。
【００２９】
ここで、全体として円形になるように（図５参照）放射状に配置した２４個の扇形の表示素子５２Ｂによって、液晶表示部５１におけるタイマー時刻（即ちタイマー運転開始時刻とタイマー運転停止時刻）の表示がデジタル式の液晶表示に比べて見やすくなり、操作装置３２としての部品コストを低減できたとともに、各種時刻の設定や温度設定が行いやすくなった。又、タイマー運転設定手段５０に現在時刻をデジタル表示する現在時刻表示部５３を設けたので、現在時刻をデジタル表示しながらタイマー時刻を数量的に表示することができ、各時刻を一目で確認することができるようになり、表示部５１としての機能性が向上した。
【００３０】
５４は前記開始時刻を設定するモードを指示する開始時刻設定部５５と、前記停止時刻を設定するモードを指示する停止時刻設定部５８と、現在時刻を設定するモードを指示する現在時刻設定部としての時刻合せスイッチ６１とからなる時刻設定部である。
【００３１】
開始時刻設定部５５は、タイマー運転開始時刻を増やす（増加する）方向に変化させるための開始＋スイッチ５６と、タイマー運転開始時刻を減らす（減少する）方向に変化させるための開始-スイッチ５７とからなる。
【００３２】
停止時刻設定部５８は、タイマー運転停止時刻を増やす（増加する）方向に変化させるための停止＋スイッチ５９と、タイマー運転停止時刻を減らす（減少する）方向に変化させるための停止-スイッチ６０とからなる。
【００３３】
現在時刻設定部としての時刻合せスイッチ６１を１度押したときには、開始時刻設定部５５が現在時刻表示部５３の数字を変化させる現在時刻設定部として兼用機能させる現在時刻設定モードに移行し、再度スイッチ６１を押したときには、通常モードに復帰するものである。又、各スイッチ４２、４３、５６、５７、５９、６０、６１はそれぞれ押している間だけ機械的なスイッチ動作をするいわゆるタクトスイッチで構成した。
【００３４】
コントローラ３２（若しくは制御装置１５）は、各表示素子の表示状態を制御する表示制御部（図２では表示判断部）６７としての機能を持つマイクロコンピュータ（以下単にマイコンという）６５を有する。
【００３５】
ここで、タイマー運転設定手段５０は各表示素子の表示状態を制御する表示制御部（表示判断部）６７を有し、この表示制御部６７は、開始時刻及び停止時刻を点灯若しくは点滅させることにより、開始時刻及び停止時刻を同時に区別して表示することができ、現在時刻、タイマー運転開始時刻及びタイマー運転停止時刻を一目で区別及び確認することができるようになり、液晶表示部５１としての機能性がより向上した。
【００３６】
このマイコン６５は、上述の温度設定手段４１及び各スイッチ４２、４３、５６、５７、５９、６０、６１による信号をアナログ／デジタル変換するキー入力部６６と、表示制御部としての表示判断部６７と、負荷の動作を制御する負荷制御判断部７１と、信号をデジタル／アナログ変換して後述する負荷に対して出力する各出力部７２乃至７７とを備える。
【００３７】
表示判断部６７は、キー入力部６６の出力に応じてＬＥＤ表示部４７の表示動作を制御判断するＬＥＤ表示判断部６８と、キー入力部６６の出力に応じてタイマー時刻表示部５２の表示動作を制御判断するタイマー時刻表示判断部６９と、キー入力部６６の出力に応じて現在時刻表示部５３の表示動作を制御判断する現在時刻表示判断部７０とを有する。
【００３８】
７２は３つの発光ダイオードのそれぞれに対してスイッチ操作に応じて点灯、消灯させる信号を出力するＬＥＤ出力部、７３は２４個の表示素子５２Ｂのそれぞれに対して時刻設定部５４の操作に応じて点灯、消灯させる信号を出力するＬＣＤ１出力部、７４はコロン素子と４つの数字素子のそれぞれに対して時刻設定部５４の操作に応じて点灯、消灯させる信号を出力するＬＣＤ２出力部、７５は運転操作部即ち温度設定手段４１、連続運転スイッチ４２及びタイマー運転スイッチ４３の操作に応じて送風機６への信号を出力する送風機出力部、７６は運転操作部即ち温度設定手段４１、連続運転スイッチ４２及びタイマー運転スイッチ４３の操作に応じて燃焼装置５への信号を出力する燃焼装置出力部、７７は温度設定手段４１、連続運転スイッチ４２及びタイマー運転スイッチ４３の操作に応じて循環ポンプ２１への信号を出力する循環ポンプ出力部である。
【００３９】
上記構成において、連続運転スイッチ４２を押して温水暖房機１の運転を開始すると、先ず送風機６が動作し、給排気ユニット２０、接続管７Ａ及び給気管７を通して外部（屋外）から暖房ヒーティングユニット２に引き込まれた燃焼用空気が燃焼装置５のバーナチューブ１６内に供給され、その一部が一次空気としてノズル１８部周辺に、又、残りが二次空気としてバーナ１７内に流れ込む。ここで、電磁ポンプ１１を動作させると、液体燃料噴霧ノズル１８から液体燃料が噴霧されて上述の一次空気と混合される。この混合燃料が点火プラグ１９の放電スパークによって着火され、燃焼装置５は燃焼室８に火炎を形成して燃焼を開始する。
【００４０】
更に、燃焼室８で燃焼された高温の排気ガスがフィン付パイプ１２内の温水（低温水）と熱交換され、マフラ４を通って排気口１４から本体の外に排出される。こうして熱源側熱交換器３で加熱された温水（高温水）は、温水出口１３からヘッダー２２、温水制御弁及び各接続管を介して各利用側熱交換器２４、２６、２８、３０に循環されて、各室内を利用形態に応じて温風若しくは輻射にて暖房する。
【００４１】
ここで図３に沿って、液晶表示部５１におけるタイマー時刻表示部５２の表示状態変更に関する表示制御部６７の制御判断動作の流れを簡単に説明する。ただし、マイコン６５内には、タイマー運転時間長をカウントするカウンタと、開始時刻を記憶する開始時刻メモリと、停止時刻を記憶する停止時刻メモリとを備える。
【００４２】
まず、電源が投入された（即ち熱源機２の電源プラグがコンセントに差し込まれた）状態において、コントローラリモコン（操作装置）３２の液晶表示部５１の表示は図５に示すように、現在時刻表示部５３には右から３つ目までの数字素子５３Ａ，５３Ｂ，５３Ｃ全てが中央のセグメントだけのみ点灯し、コロン素子があればその素子も点灯している状態であって、タイマー時刻表示部５２にはどの表示素子も消灯状態になっている。
【００４３】
タイマー時刻を設定するために最初にタイマー運転スイッチ４３を押すと、タイマー時刻表示部５２には初期設定の状態で、図６に示すように６時から１０時までに対応する４つの表示素子Ｈ１，Ｎ１，Ｎ２，Ｏ１が点灯する。この状態から時刻設定部５４の操作が有効になる。即ち、タイマー運転スイッチ４３を押した後は、時刻設定部５４におけるどのスイッチが操作されたかによってタイマー時刻表示部５２の表示素子５２Ｂの点灯消灯が切り替えられるものである。尚、初期設定においてカウンタの数値は４、開始時刻メモリの記憶値は６、停止時刻の記憶値は１０である。
【００４４】
次に、ステップＳ１において、開始-スイッチ５７が押されたか否かが判断され、開始−スイッチ５７が押されなければステップＳ１１へ移行し、開始−スイッチ５７が押されればステップＳ２でカウンタの数値（即ちタイマー運転時間長）が２３か否かが判断され、数値が２３であればステップＳ１へ移行し、数値が２３でなければステップＳ３でカウンタに（前回数値＋１）の操作をし、ステップＳ４で開始時刻メモリに記憶された記憶値即ちタイマー運転開始時刻が０か否かが判断され、初期値が６であるためステップＳ５で開始時刻メモリに（前回記憶値−１）の操作をしてステップＳ７へ移行する。ステップＳ４で記憶値が０であれば、ステップＳ６で開始時刻メモリの記憶値を２３にセットしてステップＳ７へ移行する。
【００４５】
ステップＳ１１では、開始＋スイッチ５６が押されたか否かが判断され、開始＋スイッチ５６が押されなければステップＳ２１へ移行し、開始＋スイッチ５６が押されればステップＳ１２でカウンタの数値（即ちタイマー運転時間長）が１か否かが判断され、数値が１であればステップＳ１へ移行し、数値が１でなければステップＳ１３でカウンタに（前回数値−１）の操作をし、ステップＳ１４で開始時刻メモリに記憶された記憶値、即ちタイマー運転開始時刻が２３か否かが判断され、初期値が６であるためステップＳ１５で開始時刻メモリに（前回記憶値＋１）の操作をしてステップＳ７へ移行する。ステップＳ１４で記憶値が２３であれば、ステップＳ１６で開始時刻メモリの記憶値を０にセットしてステップＳ７へ移行する。
【００４６】
ステップＳ２１において、停止−スイッチ６０が押されたか否かが判断され、停止−スイッチ６０が押されなければステップＳ３１へ移行し、停止−スイッチ６０が押されればステップＳ２２でカウンタの数値（即ちタイマー運転時間長）が１か否かが判断され、数値が１であればステップＳ１へ移行し、数値が１でなければステップＳ２３でカウンタに（前回数値−１）の操作をし、ステップＳ２４で停止時刻メモリに記憶された記憶値、即ちタイマー運転停止時刻が０か否かが判断され、初期値が６であるためステップＳ２５で停止時刻メモリに（前回記憶値−１）の操作をしてステップＳ７へ移行する。ステップＳ２４で記憶値が０であれば、ステップＳ２６で停止時刻メモリの記憶値（即ちタイマー運転停止時刻）を２３にセットしてステップＳ７へ移行する。
【００４７】
ステップＳ３１では、停止＋スイッチ５９が押されたか否かが判断され、停止＋スイッチ５９が押されなければステップＳ１へ移行し、停止＋スイッチ５９が押されればステップＳ３２でカウンタの数値（即ちタイマー運転時間長）が２３か否かが判断され、数値が２３であればステップＳ１へ移行し、数値が２３でなければステップＳ３３でカウンタに（前回数値＋１）の操作をし、ステップＳ４４で停止時刻メモリに記憶された記憶値、即ちタイマー運転停止時刻が２３か否かが判断され、初期値が１０であるためステップＳ３５で停止時刻メモリに（前回記憶値＋１）の操作をしてステップＳ７へ移行する。ステップＳ３４で記憶値が２３であれば、ステップＳ３６で停止時刻メモリの記憶値（即ち停止時刻）を０にセットしてステップＳ７へ移行する。
【００４８】
ステップＳ７では、開始時刻メモリに記憶されたタイマー運転開始時刻から停止時刻メモリに記憶されたタイマー運転停止時刻までの表示素子５２Ｂを全て点灯若しくは点滅表示させて、ステップＳ１へ復帰する。この時、開始時刻と停止時刻との間に位置する表示素子は、時計回り方向と反時計回り方向とで２通りが考えられるが、カウンタに記憶されている数値及び開始から停止までを時計方向に向けて表示させる時間配置の規則によってどちらか一方に限定されるものであり、本実施例では開始時刻としては表示素子５２Ｂのスタートラインが、停止時刻としては表示素子５２Ｂのエンドラインがそれぞれ対応するかたちになっている。
【００４９】
図６には、現在時刻が２１時５８分であり、タイマー運転開始時刻が６時で、タイマー運転停止時刻が１０時で、タイマー運転時間長が４である例が示されており、各表示素子Ｈ１，Ｎ１，Ｎ２，Ｏ１は点灯状態にある。ここでＨ１が開始時刻、Ｏ１が停止時刻、両者の間に位置するＮ１，Ｎ２が点灯することで、運転時間長が量的に表示される。これは表示素子を点滅状態に維持してもかまわない。
【００５０】
因みに図６の状態でタイマー運転スイッチ４３を押して、時刻設定部５４の操作をすると、例えばタイマー運転開始時刻を設定するために開始-スイッチ５７を押せば、開始時刻に対応する表示素子Ｈ１が反時計回りに１つ動いたかの如く数字６の隣の・に対応する表示素子が点灯することとなり、例えば停止＋スイッチ５９を押せば、停止時刻に対応する表示素子Ｏ１が時計回りに１つ動いたかの如く数字１０の隣の・に対応する表示素子が点灯することとなり、操作者がまるでダイヤル操作をしているかのようにタイマー時刻の設定が行えるものである。
【００５１】
以上のようにタイマー運転開始時刻、タイマー運転停止時刻及びこれら両時刻の間に位置する全ての表示素子を点灯若しくは点滅させるようにしたので、タイマー運転開始時刻から停止時刻までのタイマー運転時間を量的に表示することができるようになる。即ち点灯されている表示素子の面積によりそのタイマー運転時間長が視認でき、最初と最後の素子に対応する印字パターンを読みとることでタイマー開始時刻と停止時刻が認識できる。尚、タイマー運転中において、運転開始から１時間単位で経過した時間に対応する表示素子を消灯するように制御すれば、タイマー運転中の残り時間を表示することが可能となり、このタイマー時刻表示部５２にて設定時間（タイマー運転長）表示だけでなく残時間表示としての活用ができるようになり、表示部５１としての汎用性が増す。
【００５２】
一方、ステップＳ７において、表示制御部（表示判断部）６７が、図７に示すように、開始時刻メモリで記憶したタイマー運転開始時刻及び停止時刻メモリで記憶したタイマー運転停止時刻に対応する２つの表示素子Ｈ２，Ｏ２だけを、同じ色若しくは異なる色で点灯させるように、表示動作を制御することにより、タイマー運転開始時刻及びタイマー運転停止時刻を明確に区別することが可能となる。このとき、一方の表示素子例えばＨ２を点灯させ、他方Ｏ２を点滅させるようにすれば、区別がより明確になる。又、上述同様両時刻間に位置する表示素子Ｎ３，Ｎ４全てをまた別の色で表示すれば、表示部５１の意匠性及び視認性並びに汎用性が向上する等の効果を奏する。
【００５３】
【発明の効果】
請求項１に記載の温水暖房機の操作装置によれば、利用側熱交換器が配置される室内の温度を設定する温度設定手段をダイヤル式としたので、スイッチ式の温度設定に比較して温度設定操作を簡素化できるとともに温度設定状態を容易に目視できる。また、タイマー運転設定手段が、前記開始時刻及び停止時刻を２４時間表示すべく全体として円形になるように放射状に配置した扇形の２４個の表示素子を有するタイマー時刻表示部と、開始時刻を設定する開始時刻設定部と、停止時刻を設定する停止時刻設定部と、各表示素子の表示状態を制御する表示制御部を有し、表示制御部が、前記開始時刻、停止時刻及びこれら両時刻の間に位置する全ての表示素子を点灯若しくは点滅させる構成としたので、タイマー時刻表示部におけるタイマー時刻の表示が、デジタル式の液晶表示に比べて見やすくなり、操作装置としての部品コストが低減する一方、各種時刻の設定や温度設定が行いやすくなるとともに、タイマー運転開始時刻から停止時刻までのタイマー運転時間を、量的にしかも一層明確に表示することができる。
【００５４】
請求項２に記載の温水暖房機の操作装置によれば、請求項１の効果に加えて、タイマー運転設定手段に現在時刻をデジタル表示する現在時刻表示部を設けたので、現在時刻をデジタル表示しながらタイマー時刻を数量的に表示することができ、各時刻を一目で確認することができ、表示部としての機能性が向上する。
【００５５】
【００５６】
【００５７】
【００５８】
【図面の簡単な説明】
【図１】  本発明の温水暖房機の操作装置の正面図である。
【図２】  本発明の操作装置の概略を示すブロック回路図である。
【図３】  本発明の操作装置のタイマー時刻表示動作の一例を示すフローチャートである。
【図４】  本発明の温水暖房機の全体配置の概略を示す温水配管図である。
【図５】  本発明の液晶表示部のコンセントを差し込んだときの表示状態を示す正面図である。
【図６】  本発明の液晶表示部の表示状態の一実施例を示す正面図である。
【図７】  本発明の液晶表示部の表示状態の他の実施例を示す正面図である。
【図８】  本発明の熱源機を屋内配置したときの設置状態を示す概略正面図である。
【図９】  図８の熱源機の一部切欠状態の正面断面図である。
【符号の説明】
１  温水暖房機
２  暖房ヒーティングユニット（熱源機）
３  熱源側熱交換器
５  燃焼装置
６  送風機
１５  制御装置
１７  バーナ
２１  循環ポンプ
２２  ヘッダー
２８  木質フロアパネル（利用側熱交換器）
３０  根太間フロアパネル（利用側熱交換器）
３２  コントローラリモコン
４１  温度設定手段
５０  タイマー運転設定手段
５１  液晶表示部
５２  タイマー時刻表示部
５２Ｂ  表示素子
５３  現在時刻表示部
５４  時刻設定部
５５  開始時刻設定部
５８  停止時刻設定部
６１  時刻合せスイッチ（現在時刻設定部）
６５  マイクロコンピュータ（マイコン）
６７  表示判断部（表示制御部）
【図１】
0003738077.tif 000002
【図２】
0003738077.tif 000003
【図３】
0003738077.tif 000004
【図４】
0003738077.tif 000005
【図５】
0003738077.tif 000006
【図６】
0003738077.tif 000007
【図７】
0003738077.tif 000008
【図８】
0003738077.tif 000009
【図９】
0003738077.tif 000010